(57)【要約】【課題】公開する表示内容の表示速度を調整する。【解決手段】表示制御装置であって、第一画像を第一表示部に出力する第一出力部と、第一画像の一部を、第一表示部と異なる第二表示部に表示するか否かの選択をユーザから受け付ける受付部と、受付部が受け付けた選択に従って生成した第二画像を第二表示部に出力する第二出力部と、第一表示部が第一画像を表示する期間の一部を、第二表示部が第二画像を表示する期間の少なくとも一部と重複させる制御部とを備える。【選択図】図１
2013195689.tif 000002
【特許請求の範囲】
【請求項１】
第一画像を第一表示部に出力する第一出力部と、
前記第一画像の一部を、前記第一表示部と異なる第二表示部に表示するか否かの選択をユーザから受け付ける受付部と、
前記受付部が受け付けた選択に従って生成した第二画像を前記第二表示部に出力する第二出力部と、
前記第一表示部が前記第一画像を表示する期間の一部を、前記第二表示部が前記第二画像を表示する期間の少なくとも一部と重複させる制御部と
を備える表示制御装置。
【請求項２】
前記第二出力部は、前記受付部が選択を受け付けた画像を前記第一画像から取り除いて前記第二画像を生成する請求項１に記載の表示制御装置。
【請求項３】
前記第一画像は、前記第一表示部において前記第二画像に重ねて表示され、且つ、前記第二表示部に出力されない固有画像を含む請求項２に記載の表示制御装置。
【請求項４】
前記第一画像は、前記第一表示部において前記第二画像と並べて表示され、且つ、前記第二表示部に出力されない固有画像を含む請求項２に記載の表示制御装置。
【請求項５】
前記第一出力部は、前記第一画像に加えて前記第二画像を前記第一表示部に出力する請求項１から請求項４までのいずれか一項に記載の表示制御装置。
【請求項６】
前記受付部は、前記第一画像に含まれ、前記第二画像に含まれない制御用アイコンを含む請求項１から請求項５までのいずれか一項に記載の表示制御装置。
【請求項７】
前記受付部は前記ユーザから画像の入力を受け付けるとともに、前記第一出力部はユーザから入力された前記画像を含む前記第一画像を前記第一表示部に出力する請求項１から請求項６までのいずれか一項に記載の表示制御装置。
【請求項８】
前記受付部はユーザから入力された前記画像を整形するとともに、前記第二出力部は前記整形した画像を含む前記第二画像を前記第二表示部に出力する請求項７に記載の表示制御装置。
【請求項９】
第一画像を第一表示部に出力する第一出力ステップと、
前記第一画像の一部を、前記第一表示部と異なる第二表示部に表示するか否かの選択をユーザから受け付ける第一受付ステップと、
前記第一受付ステップにおいて受け付けた選択に基づいて生成した第二画像を前記第二表示部に出力する第二出力ステップと、
前記第一表示部が前記第一画像を表示する期間の一部を、前記第二表示部が前記第二画像を表示する期間の少なくとも一部と重複させる制御ステップと
をコンピュータに実行させる表示制御プログラム。
【発明の詳細な説明】
【技術分野】
【０００１】
本発明は、表示制御装置および表示制御プログラムに関する。
【背景技術】
【０００２】
入力された画像等をスクリーンに拡大投射して、講習、講義、会議、プレゼンテーション等における視覚的公衆伝達を支援する電子黒板がある（例えば、特許文献１参照）。
［特許文献１］  特開２０１０−２８４７９７号公報
【発明の概要】
【発明が解決しようとする課題】
【０００３】
電子黒板の表示速度が、聴衆が表示内容を読んで理解する速さ、表示内容を書き取る速さ等と齟齬を来す場合がある。
【課題を解決するための手段】
【０００４】
本発明の第一態様として、第一画像を第一表示部に出力する第一出力部と、第一画像の一部を、第一表示部と異なる第二表示部に表示するか否かの選択をユーザから受け付ける受付部と、受付部が受け付けた選択に従って生成した第二画像を第二表示部に出力する第二出力部と、第一表示部が第一画像を表示する期間の一部を、第二表示部が第二画像を表示する期間の少なくとも一部と重複させる制御部とを備える表示制御装置が提供される。
【０００５】
また、本発明の第二態様として、第一画像を第一表示部に出力する第一出力ステップと、第一画像の一部を、第一表示部と異なる第二表示部に表示するか否かの選択をユーザから受け付ける第一受付ステップと、第一受付ステップにおいて受け付けた選択に基づいて生成した第二画像を第二表示部に出力する第二出力ステップと、第一表示部が第一画像を表示する期間の一部を、第二表示部が第二画像を表示する期間の少なくとも一部と重複させる制御ステップとをコンピュータに実行させる表示制御プログラムが提供される。
【０００６】
上記発明の概要は、本発明の必要な特徴の全てを列挙したものではない。また、これらの特徴群のサブコンビネーションも発明となり得る。
【図面の簡単な説明】
【０００７】
【図１】表示装置１０１のブロック図である。
【図２】表示装置１０１の使用形態を示す模式図である。
【図３】個別表示部１２１等の表示内容を示す模式図である。
【図４】個別表示部１２１等の表示過程を示す模式図である。
【図５】公開表示部１３１の表示内容を示す模式図である。
【図６】個別表示部１２１等の表示過程を示す模式図である。
【図７】公開表示部１３１の表示内容を示す模式図である。
【図８】表示装置１０２のブロック図である。
【図９】表示装置１０３のブロック図である。
【図１０】表示装置１０４のブロック図である。
【図１１】表示装置１０５の使用形態を示す模式図である。
【図１２】個別表示部１２１等の表示内容を示す模式図である。
【図１３】表示装置１０６の使用形態を示す模式図である。
【図１４】個別表示部１２１等の表示内容を示す模式図である。
【図１５】表示装置１０６の他の使用形態を示す模式図である。
【発明を実施するための形態】
【０００８】
以下に、発明の実施の形態を通じて本発明を説明するが、以下の実施形態は特許請求の範囲に係る発明を限定するものではない。また、実施形態の中で説明される特徴の組み合わせの全てが発明の解決手段に必須であるとは限らない。
【０００９】
図１は、表示装置１０１の構造を模式的に示すブロック図である。表示装置１０１は、入力受付部１１０および表示制御部１４０を備える。
【００１０】
入力受付部１１０は、ユーザからの入力を受け付ける。ユーザは、入力受付部１１０に設けられた入力装置を用いて、文字、図形等の入力情報を入力受付部１１０に入力する。また、ユーザは、入力受付部１１０に設けられた入力装置を用いて、表示装置１０１に対する指示を入力する。
【００１１】
入力受付部１１０に配される入力装置としては、キーボード、マウス、トラックボール、トラックパッド、ペンタブレット、音声入力装置、ジェスチャ検出装置等を用いることができる。また、個別表示部１２１の全面または一部をタッチパネルにして、入力受付部１１０とし利用してもよい。
【００１２】
表示制御部１４０は、第一出力部および第二出力部として、個別画像出力部１２０および公開画像出力部１３０を備える。個別画像出力部１２０は、個別表示部１２１に個別画像を表示させる。個別表示部１２１は、入力受付部１１０に情報または指示を入力するユーザに対して個別に表示される。
【００１３】
公開画像出力部１３０は、個別画像出力部１２０が個別表示部１２１に表示させた個別画像の少なくとも一部を、公開表示部１３１の公開画像表示領域１３４に表示する。公開表示部１３１は、ユーザ以外の人に向かって公開画像を表示する。
【００１４】
個別表示部１２１および公開表示部１３１は、それぞれ、ＬＣＤ、ＣＲＴ、プラズマディスプレイ等を用いて形成できる。また、個別表示部１２１および公開表示部１３１は、直視型表示装置であっても、投射型表示装置であってもよい。更に、個別表示部１２１と公開表示部１３１とが、互いに異なるデバイスにより形成されていてもよい。また、個別表示部１２１と公開表示部１３１は、互いに大きさが異なっていてもよい。
【００１５】
図２は、表示装置１０１の使用形態の一例を示す模式図である。表示装置１０１は、例えば、一人の講師と、複数の受講者とが在室する講習室において使用される。
【００１６】
入力受付部１１０は、講師の近傍に配され、専ら講師により操作される。講師は、入力受付部１１０を操作することにより表示装置１０１に表示情報またはその素材を入力する。また、講師は、表示装置１０１の動作に関する指示も入力受付部１１０から入力する。
【００１７】
個別表示部１２１は講師の近傍に配され、講師に向かって画像を表示する。個別画像出力部１２０は、講師により入力された表示内容と、講師の指示により編集または加工された表示内容とに基づいて、個別表示部１２１に表示する表示画像を生成する。
【００１８】
公開画像出力部１３０は、個別画像出力部１２０が個別表示部１２１に表示した表示画像のうち、受講者に向かって表示すべき旨を講師により指示された表示画像を公開表示部１３１の公開画像表示領域１３４に表示する。このため公開表示部１３１の表示内容は、個別表示部１２１の表示内容の一部を含む。公開表示部１３１の表示内容は受講者全員から観察される。
【００１９】
表示装置１０１を用いる場合、講師は、まず、入力受付部１１０を操作して、文字、画像等の入力情報を表示制御部１４０に入力する。入力受付部１１０は、キーボード、タブレット、マウス等の操作により講師が直接に入力した入力情報を受け付ける他、予め格納された情報から選択された情報を入力情報としてもよい。予め格納された情報は、講師が用意したものであってもよいし、外部のライブラリ等から転送させたものであってもよい。
【００２０】
入力受付部１１０は、講師から受け付けた入力情報に基づいて生成した個別画像を個別画像出力部１２０に伝えて、個別表示部１２１に表示させる。これにより、講師は、入力情報が表示制御部１４０に入力されたか、入力された情報がどのように見えるかを確認できる。
【００２１】
次に、講師は、入力受付部１１０を操作して、入力した情報の編集、加工、取捨選択等を指示する。個別画像出力部１２０は、入力受付部１１０を通じて受けた指示に従って、個別表示部１２１に表示させる画像を変形させる。これにより、講師は、入力受付部１１０に入力した指示が個別表示画像に反映されていることを確認できる。
【００２２】
更に、講師は、入力受付部１１０を操作して、公開表示部１３１に個別画像を表示させることを指示する。表示制御部１４０は、入力受付部１１０から画像を公開すべき旨の指示を受けると、個別画像出力部１２０において入力および加工された画像を、公開画像出力部１３０に伝達させる。公開画像出力部１３０は、取得した公開画像を公開表示部１３１に表示させる。
【００２３】
講師の近傍に配された個別表示部１２１に対して、公開表示部１３１は、受講者全員から見える位置に配される。よって、公開表示部１３１に表示された公開画像は、受講者全員から観察される。こうして、表示装置１０１においては、講師が入力した文字、画像等を、受講者に見せずに編集または加工した上で、完成した画像を受講者に向かって表示させることができる。
【００２４】
上記のような表示装置１０１を用いた場合、講師は、公開表示部１３１とは異なる個別表示部１２１に向かって入力受付部１１０を操作しつつ、公開表示部１３１に入力情報を表示させることができる。入力受付部１１０における情報入力は、表示内容をその都度直接に入力してもよいし、予め用意したファイル等を呼び出して表示させてもよい。
【００２５】
図３は、表示装置１０１における個別表示部１２１および公開表示部１３１の表示内容を例示する模式図である。図３において、図１と共通の要素には同じ参照番号を付して重複する説明を省く。
【００２６】
個別画像出力部１２０の個別表示部１２１には、ディレクトリ表示領域１２２、モニタ画像表示領域１２４、アイコン表示領域１２６、メモ表示領域１２８、入力過程表示領域１２９等が表示される。
【００２７】
ディレクトリ表示領域１２２は、表示装置１０１に格納されているファイルをディレクトリと共にリスト表示する。モニタ画像表示領域１２４は、公開表示部１３１に表示される表示内容を縮小した状態で表示する。
【００２８】
アイコン表示領域１２６は、複数の操作アイコン１２７を表示する。操作アイコン１２７は、表示装置１０１自体の動作を指示する場合のインターフェースとなる。また、操作アイコン１２７は、表示装置１０１に対して入力された情報を加工または編集する場合のインターフェースにもなる。
【００２９】
メモ表示領域１２８は、講師は参照するが、受講者には見せない画像が表示される。また、メモ表示領域１２８には、公開表示部１３１に表示することなく、講師が情報を追加または削除できる。
【００３０】
入力過程表示領域１２９は、入力受付部１１０から講師が入力した情報が一時的に表示される。入力過程表示領域１２９に表示される入力情報は、整形前の手書き入力、仮名漢字変換前の仮名文字等、状態が確定していない画像が表示される。換言すれば、講師は、入力過程表示領域１２９を見ながら入力作業をし、入力情報の整形、変換等を指示する。なお、入力受付部１１０は、上記の入力操作の過程で、入力情報のスペルチェック、文法チェック等を併せて実行してもよい。
【００３１】
上記の個別表示部１２１においては、ディレクトリ表示領域１２２、モニタ画像表示領域１２４およびアイコン表示領域１２６は、個別表示部１２１の表示領域を互いに分割して表示している。これに対して、メモ表示領域１２８および入力過程表示領域１２９は、フローティングウインドウとして、モニタ画像表示領域１２４に重ねて表示している。
【００３２】
これにより、注釈等を表示するモニタ画像表示領域１２４を、注釈の対象となる表示の近傍に表示させることができる。また、入力過程表示領域１２９を、最終的な表示位置の近傍に表示させて、講師の視線の移動を低減できる。各表示領域の表示方法が図示の形態に限定されるわけではないことはもちろんである。
【００３３】
なお、ディレクトリ表示領域１２２、モニタ画像表示領域１２４、アイコン表示領域１２６、メモ表示領域１２８および入力過程表示領域１２９の各々は、スクロールバー１２３を有する。これにより、表示領域の各々は、物理的な面積に表示できる内容よりも多くの内容を表示できる。また、各表示領域の個別表示部１２１おける配分および表示位置を変更できるようにしてもよい。
【００３４】
更に、一部の表示領域を表示しないことを選択できるようにしてもよい。即ち、入力受付部１１０に入力した内容を、編集することなく公開画像出力部１３０に表示させる場合は、アイコン表示領域１２６を隠してもよい。また、既存のファイルを呼び出すことがない場合は、ディレクトリ表示領域１２２を隠してもよい。更に、入力作業をしていない場合は、入力過程表示領域１２９を隠してもよい。これにより、個別表示部１２１の実効的な表示面積を拡大できる。
【００３５】
上記のような個別画像出力部１２０においてモニタ画像表示領域１２４に表示された表示内容は、講師の指示あるいは自動で、公開表示部１３１に表示される。しかしながら、ディレクトリ表示領域１２２、アイコン表示領域１２６、メモ表示領域１２８および入力過程表示領域１２９の表示内容は、公開表示部１３１には表示されない。
【００３６】
このように、表示装置１０１においては個別画像出力部１２０が出力して個別表示部１２１に表示する個別画像と、公開画像出力部１３０が出力して公開表示部１３１に表示する公開画像とが互いに異なっている。
【００３７】
ただし、個別表示部１２１に表示される個別画像は、公開表示部１３１に表示される公開画像の内容を全て含む。換言すれば、個別画像出力部１２０が出力する個別画像は、公開画像出力部１３０が出力する公開画像に、メモ、操作アイコン、編集過程等の、公開表示部１３１に表示されない固有画像が加わって形成されている。
【００３８】
図４は、表示装置１０１において、講師により入力された図形が、個別表示部１２１および公開表示部１３１へ表示される過程を示す模式図である。図４は、タッチパネル機能を備えた個別表示部１２１の一部を入力受付部１１０として使用し、講師が手書き入力により入力した図形を整形して公開表示部１３１に表示する過程を示す。
【００３９】
まず、入力受付部１１０への手書き入力により、文字および図形が混在する画像が入力される。これにより、例えば、符号Ａで図中に示すように、入力受付部１１０のタブレットが操作された場合には、講師の筆跡による入力の軌跡が、個別表示部１２１の入力過程表示領域１２９に即座に表示される。
【００４０】
次に、アイコン表示領域１２６の操作アイコン１２７を選択することにより、入力画像を整形すべき旨の指示が、入力受付部１１０に受け付けられる。図示の例では、「整形」に関する指示として、「文字を整形」、「全て整形」、「図形を整形」等の指示を意味する操作アイコン１２７が用意される。
【００４１】
講師は、これらの操作アイコン１２７のいずれかを選択することにより、入力画像の一部または全部を整形できる。入力画像に対する整形の結果は、符号Ｂ、Ｃ、Ｄで図中に示すように、個別表示部１２１の入力過程表示領域１２９に表示される。
【００４２】
続いて、講師による「公開表示」の指示が、アイコン表示領域１２６に入力される。これにより、整形された図形および文字が、個別表示部１２１におけるモニタ画像表示領域１２４に表示される。
【００４３】
また、符号Ｅで図中に示すように、整形された画像は、公開表示部１３１にも表示される。こうして、受講者は、講師の入力した図形を、整形された状態で公開表示部１３１上に見ることができる。
【００４４】
なお、アイコン表示領域１２６には、一旦入力した画像の編集、削除等を指示する操作アイコン１２７を更に実装して、入力画像を更に加工した後に表示してもよい。また、公開表示部１３１に表示された表示内容であっても、講師が指示した場合に、表示されている表示内容を再び編集できるようにしてもよい。そのような場合に、編集過程を受講者から隠し、確定後の表示内容を公開表示部１３１に表示してもよい。
【００４５】
更に、手書き入力直後の段階から再編集することが求められた場合に備えて、手書き入力直後の整形前の画像を整形後も表示し続けてもよい。更に、表示制御部１４０は、整形前の画像の他、編集過程の画像を時系列で順次保存してもよい。これにより、整形または認識の段階から入力操作をやり直すことができる。このような場合も、講師が表示することを望んだ場合は、再編集における整形過程、変換過程等を、公開画像出力部１３０に表示させてもよい。
【００４６】
このように、個別表示部１２１に表示されているものを公開表示部１３１に表示するか否かの判断は講師に委ねられている。しかしながら、例えば、受講者が未学習の漢字、用語等の表示を制限する等、予め判明している制限事項については、公開画像出力部１３０が公開表示部１３１への表示を自動的に制限してもよい。
【００４７】
図５は、図４において入力過程を示した画像を公開表示部１３１の公開画像表示領域１３４に表示させる場合の表示過程の一例を示す図である。公開表示部１３１に画像を表示させる場合、符号Ｐから符号Ｚで図中に示すように、公開画像出力部１３０は、画像を段階的に表示してもよい。
【００４８】
これにより、公開表示部１３１における画像を、画像全体が形成される過程と共に受講者に示すことができる。また、公開表示部１３１における表示速度を、例えば、受講者がノートをとる速度と同程度に緩和させることができる。よって、公開表示部１３１への表示内容を、結論に至る過程を追いつつ読むと共に書き取ることにより、受講者は、講習内容に対する理解を深めることができる。
【００４９】
なお、手書き入力の形状を意図的に維持する場合に用いる「無整形」、漢字に変換することなく仮名のまま表示する場合に用いる「無変換」等の指示を、入力受付部１１０に実装してもよい。これにより、手書きによる微妙な表現と、整形した文字による視認性のよさとを両立させることができる。また、入力画像に和文が含まれる場合は、かな漢字変換の操作が加わる場合もある。
【００５０】
更に、入力受付部１１０には、既に公開表示部１３１に表示された公開画像に対して、部分的な強調等を意図して、下線、囲い、カーソルマークの点滅等を追加して表示する指示を実装してもよい。また更に、公開表示部１３１に表示されている公開画像の一部または全体を拡大または縮小させる指示、公開画像の一部を隠す指示、公開画像の一部を切り取る指示等、講師の表現手法に合わせて異なる指示を実装してもよい。
【００５１】
図６は、講師により入力された文字の、個別表示部１２１および公開表示部１３１への表示過程を示す模式図である。図６は、タッチパネル機能を備えた個別表示部１２１の一部を入力受付部１１０として使用し、講師が手書き入力により入力した文字を整形および変換して公開表示部１３１に表示する過程を示す。
【００５２】
まず、入力受付部１１０への手書き入力により仮名文字が入力される。これにより、符号Ａで図中に示すように、講師の筆跡による入力の軌跡が、個別表示部１２１の入力過程表示領域１２９に即座に表示される。
【００５３】
次に、入力された文字列の区切り、例えば、単語、文節等の境界で、講師によるジェスチャ、キー、ボタン、アイコン等により「整形」の指示が入力受付部１１０を形成するアイコン表示領域１２６に入力される。これにより、符号Ｂで図中に示すように、入力過程表示領域１２９には、予め指定した書体に整形された文字列が表示される。なお、入力受付部１１０においては、書体の他、下線、太字、斜体等、文字の表示形式も選択できるようにしてもよい。
【００５４】
続いて、講師による「変換」の指示が、アイコン表示領域１２６に入力される。これにより、符号Ｃで図中に示すように、予め指定した書体で漢字に変換された文字列が入力過程表示領域１２９に、表示される。
【００５５】
次に、講師による「表示」の指示が、アイコン表示領域１２６に入力される。これにより、符号Ｄで図中に示すように、指定書体で漢字表記された文字列が、個別表示部１２１におけるモニタ画像表示領域１２４に表示される。
【００５６】
また、当該文字列は、符号Ｅで図中に示すように、公開表示部１３１においても、指定書体で漢字表記により表示される。こうして、受講者は、講師が入力受付部１１０に入力した文字列を、整形され且つ変換された状態で公開表示部１３１上に見ることができる。
【００５７】
なお、入力受付部１１０に入力バッファを設けて、講師側の入力速度が表示速度を上回った場合に、入力の取りこぼしが防止されるようにしてもよい。また、入力受付部１１０において、「整形」、「変換」、「表示」等の指示入力の一部を自動化して、指示入力に関する講師の手間を軽減してもよい。
【００５８】
また、公開表示部１３１にいったん表示された表示内容であっても、講師が指示した場合に、表示されている表示内容を再び編集できるようにしてもよい。そのような場合に、編集過程を受講者から隠し、確定後の表示内容を公開表示部１３１に表示してもよい。
【００５９】
更に、手書き入力直後の段階から再編集することが求められた場合に備えて、手書き入力直後の整形前の画像を、整形後も表示制御部１４０に保存してもよい。これにより、整形または認識の段階から入力操作をやり直すことができる。このような場合も、講師が表示することを望んだ場合は、再編集における整形過程、変換過程等を、公開画像出力部１３０に表示させてもよい。
【００６０】
このように、個別表示部１２１に表示されているものを公開表示部１３１に表示するか否かの判断は講師に委ねられている。しかしながら、例えば、受講者が未学習の漢字、用語等の表示を制限する等、予め判明している制限事項については、公開画像出力部１３０が公開表示部１３１への表示を自動的に制限してもよい。
【００６１】
図７は、図６において入力過程を示した文字列を公開表示部１３１の公開画像表示領域１３４に表示させる場合の表示過程の一例を示す図である。公開表示部１３１に文字列を表示する場合、符号Ｐから符号Ｚで図中に示すように、公開画像出力部１３０は、表示する文字列を形成する文字の各々について、当該文字の筆順に従って１画ずつ順次表示してもよい。
【００６２】
これにより、公開表示部１３１の表示速度を、例えば、受講者がノートをとる速度と同程度に緩和させることができる。よって、公開表示部１３１への表示内容を、結論に至る過程を追いつつ読むと共に書き取ることにより、受講者は、講習内容に対する理解を深めることができる。
【００６３】
なお、手書き入力の形状を意図的に維持する場合に用いる「無整形」、漢字に変換することなく仮名のまま表示する場合に用いる「無変換」等の指示を、入力受付部１１０に実装してもよい。これにより、手書きによる微妙な表現と、整形した文字による視認性のよさとを両立させることができる。なお、入力受付部１１０に対する文字列にキーボード等を使用する場合は、整形の指示までの段階は省略され、図４に符号Ｂで示す段階から入力の手順が実行される。
【００６４】
また、公開表示部１３１には、表示内容と共に、表示文字の筆順も受講者に伝えることになる。よって、初等教育における講習では、表示装置１０１により、板書に関する教育指導要領を自動的に満たすことができる。
【００６５】
なお、講師による入力受付部１１０への入力速度が、受講者が理解する速度あるいは書き取る速度を超えると判断される場合、表示制御部１４０は、その旨の警告を、個別画像出力部１２０を通じて個別表示部１２１に表示してもよい。これにより、講習に熟練していない講師であっても、効果の高い講習を実施できる。
【００６６】
このように、表示装置１０１は、表示内容をそのまま拡大して表示するにとどまらず、表示速度および表示方法を制御する機能を有する。これにより、公開画像を入力する講師の負担を軽減すると共に、講習による情報伝達の効率と理解の深度を向上させることができる。
【００６７】
図８は、表示装置１０２のブロック図である。表示装置１０２は、次に説明する部分を除くと、図１に示した表示装置１０１と同じ構造を有する。よって、共通の要素には同じ参照番号を付して重複する説明を省く。
【００６８】
表示装置１０２は、入力受付部１１０に接続された、通信回線１５２および撮像部１５４を有する。これにより、入力受付部１１０は、通信回線１５２を通じてサーバ１５３から入力情報を取得できる。また、入力受付部１１０を操作する講師は、公開画像出力部１３０に表示することなく、講習中に外部の情報を参照できる。通信回線１５２としては、ＬＡＮ、インターネット、専用線等を用い得るが、これらに限定されるわけではない。
【００６９】
なお、表示装置１０２において、入力受付部１１０は、通信回線１５２へのアクセスに関する講師の指示も受け付ける。即ち、入力受付部１１０は、通信回線１５２に対する通信の確立および遮断、接続先の指定、取得情報の指定等を受け付ける。
【００７０】
また、入力受付部１１０は、撮像部１５４を通じて、既存の印刷物、記載物等の画像を取り込むことができる。表示装置１０２において、入力受付部１１０は、撮像部１５４の操作に関する講師の指示も受け付ける。即ち、入力受付部１１０は、撮像部１５４に関して、例えば、撮像対象および撮像範囲等の指定、撮像した画像の拡大、縮小、切り抜き等に関する指示を受け付ける。
【００７１】
このように、入力受付部１１０に表示情報を取得を補助する周辺機器を設けることにより、表示情報の取得および作成にかかる手間の一部を省くことができる。また、天候、為替等のように常時変化する情報を最新の状態で取得して入力することができる。
【００７２】
図９は、表示装置１０３のブロック図である。表示装置１０３は、次に説明する部分を除くと、図１に示した表示装置１０１と同じ構造を有する。よって、共通の要素には同じ参照番号を付して重複する説明を省く。
【００７３】
表示装置１０３において、表示制御部１４０は、個別画像記録部１４２および公開画像記録部１４４を有する。個別画像記録部１４２は、個別画像出力部１２０が個別表示部１２１に向かって出力する個別画像を記録する。こうして個別画像を記録することにより、講習時間中の講師の表示制御部１４０に対する入力の経過を再現できる。これにより、講習の進め方を後で検討して、講習技術の向上に与することができる。
【００７４】
また、公開画像記録部１４４は、公開画像出力部１３０が公開表示部１３１に向かって出力する公開画像を記録する。こうして公開画像を記録することにより、受講者の立場からみた講習を再現できる。よって、欠席者への講習の提供、記録媒体を通じた講習の再現等ができる。
【００７５】
更に、表示装置１０３は、入力受付部１１０に接続された録音部１４６および撮像部１４８を備えてもよい。これにより、講師が入力受付部１１０に入力しない質疑応答、演習の様子等も記録できる。これにより、講習のより詳細な記録を作成できる他、受講者の個体認証による出席の管理もできる。
【００７６】
図１０は、他の表示装置１０４のブロック図である。表示装置１０４は、次に説明する部分を除くと、図１に示した表示装置１０１と同じ構造を有する。よって、共通の要素には同じ参照番号を付して重複する説明を省く。
【００７７】
表示装置１０４は、入力受付部１１０の他に、副入力受付部１１２を有する。副入力受付部１１２は、有線または無線で個別画像出力部１２０に結合される。これにより、入力受付部１１０の他に、副入力受付部１１２からも、個別画像出力部１２０への情報を入力できる。よって、例えば、受講者のひとりに副入力受付部１１２を操作させて、個別画像出力部１２０に情報を入力させることができる。
【００７８】
副入力受付部１１２から入力された情報は、まず、個別画像出力部１２０を通じて、個別表示部１２１に表示される。個別表示部１２１に表示された情報は、入力受付部１１０から入力された講師の指示に応じて、公開表示部１３１に表示される。換言すれば、講師が表示することを指示しない場合、副入力受付部１１２から入力された内容は、公開表示部１３１に表示されない。
【００７９】
このように、副入力受付部１１２は、情報を入力できる点で、入力受付部１１０と同じ機能を有する。しかしながら、受け付けた入力を、公開表示部１３１の表示に反映させるか否かの指示は、入力受付部１１０を操作する講師に委ねられる。このような機能を利用して、受講者による演習、質問等も、講習への参加者全員に提示して講習を進めることができる。なお、副入力受付部１１２は、複数の受講者で使い回してもよいし、受講者等の人数分を予め用意してもよい。
【００８０】
上記の例では講習会を例にあげたが、表示装置１０１の用途は講習、講演等に限られるわけではない。例えば、表示装置１０１を用いつつ、入力受付部１１０の操作者が交代することにより会議における講習伝達装置としても使用できる。しかしながら、複数の発言者が参加する会議等に対しては、表示装置１０１を異なる形態にすることもできる。
【００８１】
図１１は、他の表示装置１０５を使用形態により示す模式図である。表示装置１０５は複数の参加者による会議で使用される。表示装置１０５は、公開表示部１３１、表示制御部１４０および個別装置１６０を備える。
【００８２】
個別装置１６０は、会議の参加者の各々に１台ずつ割り当てられる。個別装置１６０の各々は、入力受付部１１０および個別表示部１２１を併せて備える。即ち、個別装置１６０は、タッチパネル機能を有するタブレット型表示装置であり、表示部の一部を入力受付部１１０として使用できる。よって、会議参加者の各々は、表示装置１０５に対して表示情報を入力できる。
【００８３】
個別表示部１２１は、個別装置１６０の表示画面上に形成され、同じ個別装置１６０に含まれる入力受付部１１０から入力された入力情報に対応する個別画像を表示する。また、個別表示部１２１は、同じ個別装置１６０に含まれる入力受付部１１０から入力された指示に従って個別表示部１２１に表示する表示画像を生成する。
【００８４】
公開画像出力部１３０は、個別画像出力部１２０が個別表示部１２１に表示した表示画像のうち、他の参加者に向かって表示すべき旨を、当該個別装置１６０を操作する参加者により指示された表示画像を公開表示部１３１に表示する。公開表示部１３１の表示内容は、公開画像出力部１３０を通じて、参加者全員が共通に観察する公開表示部１３１に表示される。
【００８５】
なお、表示装置１０５は、複数の個別装置１６０を備え、個別装置１６０のそれぞれに入力受付部１１０が設けられる。このため、複数の入力受付部１１０への入力に対応する単一の公開表示部１３１の表示方法は、複数用意されてもよい。例えば、会議において発言権を有する参加者の個別装置１６０においては入力受付部１１０が有効になり、他の個別装置においては入力受付部１１０が無効になるようにしてもよい。
【００８６】
また、公開表示部１３１の表示領域を分割して、複数の入力受付部１１０からの入力を並列的に表示してもよい。更に、一の入力受付部１１０から入力されて公開表示部１３１に表示された画像に、他の入力受付部１１０から入力された画像を重ねて表示させてもよい。これら表示方法の選択は、予め表示制御部１４０に設定してもよいし、参加者の各々が入力毎に変更してもよい。このように、表示装置１０５は、複数の発言者が参加する会議において使用することもできる。
【００８７】
図１２は、表示装置１０５における個別表示部１２１の表示内容を例示する模式図である。図３と共通の要素には同じ参照番号を付して重複する説明を省く。図示の例では、ディレクトリ表示領域１２２、モニタ画像表示領域１２４、アイコン表示領域１２６、メモ表示領域１２８、入力過程表示領域１２９等が併せて表示される。
【００８８】
上記のような個別表示部１２１において、公開表示部１３１には表示されない固有画像として表示されるディレクトリ表示領域１２２、モニタ画像表示領域１２４およびアイコン表示領域１２６は、表示装置１０５における入力受付部１１０を形成する。換言すれば、個別装置１６０において、これらディレクトリ表示領域１２２、モニタ画像表示領域１２４およびアイコン表示領域１２６を表示させなければ、個別装置１６０は参加者の入力を受け付けない。よって、例えば、参加者の発言権に対応して一部の個別装置１６０に限って入力受付部１１０またはその一部を表示させてもよい。
【００８９】
なお、図３に示した個別表示部１２１では、メモ表示領域１２８および入力過程表示領域１２９を、モニタ画像表示領域１２４の表示内容の一部に重なるフローティングウインドウに表示していた。しかしながら、フローティングウインドウの下に隠れて見えない部分が生じることを厭う場合は、全ての表示領域を互いに異なる領域に並べて表示してもよい。
【００９０】
図１２に示す例は、メモ表示領域１２８を、フローティングウインドウではなく、他の表示と並べて区切った領域に表示している。これにより、アイコン表示領域１２６の表示領域が狭くなっている。しかしながら、アイコン表示領域１２６はスクロールバー１２３を有するので、表示領域が狭くなっても、アイコンにより入力できる指示の種類が削減されるわけではない。
【００９１】
また、上記の表示装置１０５においても、図８に示したように、入力受付部１１０を含む個別装置１６０に、通信回線１５２、撮像部１５４等を接続してもよい。これにより、会議中にも外部の情報を参照できる。
【００９２】
更に、上記の表示装置１０５においても、図９に示したように、表示制御部１４０に、個別画像記録部１４２、公開画像記録部１４４等を付加してもよい。これにより、議論の途中経過も含む詳細な議事録を自動的に生成できる。
【００９３】
図１３は、他の表示装置１０６を使用形態により示す模式図である。表示装置１０６は複数の参加者による会議で使用され、表示制御部１４０および個別装置１７０を備える。
【００９４】
個別装置１７０は、会議の参加者各々に１台ずつ割り当てられる。個別装置１７０の各々は、入力受付部１１０、個別表示部１２１および公開表示部１３１を併せて備える。
【００９５】
即ち、個別装置１７０は一対の表示デバイスを有する。一対の表示デバイスの一方は、タッチパネル機能を有して、一部を入力受付部１１０として、その他の部分を個別表示部１２１として使用される。一対の表示デバイスの他方は専ら表示用であり、公開表示部１３１として使用される。
【００９６】
図１４は、表示装置１０６の個別装置１７０における個別表示部１２１および公開表示部１３１の表示内容を例示する模式図である。図３および図１１と共通の要素には同じ参照番号を付して重複する説明を省く。
【００９７】
表示装置１０６においては、会議の参加者全員が共通に観察する公開表示部１３１は用いられず、個別装置１７０の各々に公開表示部１３１が含まれる。よって、表示装置１０６の個別装置１７０の各々において、公開表示部１３１の表示内容は、他の個別装置１７０の公開表示部１３１の内容と等しい。
【００９８】
このように、公開表示部１３１を個別装置１７０に設けることにより、公開表示部１３１として、会議室に大型表示デバイスを固定しなくてもよい。よって、会議の規模等に応じて、表示装置１０６の規模も調節できる。
【００９９】
なお、上記の表示装置１０６においても、図８に示したように、入力受付部１１０を含む個別装置１６０に、通信回線１５２、撮像部１５４等を接続してもよい。これにより、会議中にも外部の情報を参照できる。
【０１００】
また、上記の表示装置１０６においても、図９に示したように、表示制御部１４０に、個別画像記録部１４２、公開画像記録部１４４等を付加してもよい。これにより、議論の途中経過も含む詳細な議事録を自動的に生成できる。
【０１０１】
図１５は、表示装置１０６の他の使用形態を示す模式図である。図１３と共通の要素には同じ参照番号を付して重複する説明を省く。
【０１０２】
図１５に示す表示装置１０６は、個別装置１７０の一部が、通信回線１５６を介して遠隔地に配されている点が、図１３に示した表示装置１０６と異なる。これにより、遠隔地の参加者も含めて、公開画像を共有して会議ができる。
【０１０３】
上記のような表示装置１０１〜１０６は、表示制御プログラムを実行するコンピュータによっても実現できる。即ち、入力デバイスおよび表示デバイスを含むコンピュータシステムにおいて表示制御プログラムを実行させることにより、表示装置１０１〜１０６の一部または全部を形成できる。また、当該コンピュータを表示制御部１４０として用い、他の入力デバイス、他の表示デバイス等を接続することにより、表示装置１０１〜１０６を形成することもできる。これにより、ハードウェアの開発負担なしに表示装置１０１〜１０６を実現できる。
【０１０４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０６】
１０１、１０２、１０３、１０４、１０５、１０６  表示装置、１１０  入力受付部、１１２  副入力受付部、１２０  個別画像出力部、１２１  個別表示部、１２２  ディレクトリ表示領域、１２３  スクロールバー、１２４  モニタ画像表示領域、１２６  アイコン表示領域、１２７  操作アイコン、１２８  メモ表示領域、１２９  入力過程表示領域、１３０  公開画像出力部、１３１  公開表示部、１３４  公開画像表示領域、１４０  表示制御部、１４２  個別画像記録部、１４４  公開画像記録部、１４６  録音部、１４８、１５４  撮像部、１５２、１５６  通信回線、１５３  サーバ、１６０、１７０  個別装置
【図１】
2013195689.tif 000003
【図２】
2013195689.tif 000004
【図３】
2013195689.tif 000005
【図４】
2013195689.tif 000006
【図５】
2013195689.tif 000007
【図６】
2013195689.tif 000008
【図７】
2013195689.tif 000009
【図８】
2013195689.tif 000010
【図９】
2013195689.tif 000011
【図１０】
2013195689.tif 000012
【図１１】
2013195689.tif 000013
【図１２】
2013195689.tif 000014
【図１３】
2013195689.tif 000015
【図１４】
2013195689.tif 000016
【図１５】
2013195689.tif 000017